(57)【要約】【課題】  単純な構成でオプションカセットフィーダの装着状態を認識し、駆動方法を切り替えることができる記録装置を提供する。【解決手段】  装置本体にオプションカセットフィーダを複数段に備え、前記オプションカセットフィーダに対応する給紙部でそれぞれのシートを送り出し、順次上段のオプションカセットフィーダの縦断通路を通して記録部へと送り込み、その記録部で記録を行うシート記録装置において、  装着されたオプションカセットフィーダを自動的に認識する判別手段と、前期判別手段で認識された装着状態に応じて前期オプションカセットフィーダのモータ駆動方法を切り替える制御手段を有することを特徴とするシート給紙装置である。【選択図】  図２
2005170626.tif 000002
【特許請求の範囲】
【請求項１】
装置本体にオプションカセットフィーダを複数段に備え、前記オプションカセットフィーダに対応する給紙部でそれぞれのシートを送り出し、順次上段のオプションカセットフィーダの縦断通路を通して記録を行うために記録部へと送り込むシート給送装置において、
装着されたオプションカセットフィーダを自動的に認識する判別手段と、前期判別手段で認識された装着状態に応じて前期オプションカセットフィーダのモータ駆動方法を切り替える制御手段を有することを特徴とするシート給紙装置。
【請求項２】
前記オプションカセットフィーダの駆動用モータの制御信号を共通化し、それぞれのオプションカセットフィーダ内部において前記モータの制御信号のイネーブル／ディセーブルを前期制御手段よって切り替える手段を有することを特徴とする請求項１記載のシート給送装置。
【請求項３】
前記オプションカセットフィーダの装着状態によって変化する信号を出力する識別信号生成手段を設け、前記判別手段は、前記識別信号の状態を読み取ることで前期装着されているカセットを認識することを特徴とする請求項１記載のシート給送装置。
【請求項４】
前記識別信号１ビットに対して１つのオプションカセットフィーダ装着状態を割り当て、あらかじめ前記判別手段に用意されたテーブルデータと前記識別信号線との比較を行うことで前記装着状態を認識することを特徴とする請求項３記載のシート給送装置。
【請求項５】
前記オプションカセットフィーダが同一の装着状態においても、使用する印字モードや給紙する用紙に応じて、前記オプションカセットフィーダのモータ駆動方法を切り替える制御手段を有することを特徴とする請求項１記載のシート給送装置。
【請求項６】
記録媒体を給送する給送手段を備えた複数種類のフィーダのうち少なくとも一つを選択的に装着できるように構成され、装着された前記フィーダの前記給送手段によって給送された記録媒体に記録ヘッドを用いて記録を行う記録装置において、
装着されたフィーダと共通に接続することによって、前記複数種類のフィーダの各フィーダの装着、非装着の組み合わせに応じて異なる信号が生じる装着検知信号線を有し、
前記装着検知信号線の信号に応じた、前記給送手段の駆動制御情報を発する制御手段を有する記録装置。
【請求項７】
前記複数種類のフィーダの各々は前記記録装置に装着された際に前記装着検知信号線と接続して前記装着検知信号線の信号を変化させる識別信号発生手段を有する請求項６に記載の記録装置。
【請求項８】
前記制御手段は装着された各フィーダに共通の制御情報線によって同じ駆動制御情報を送り、該駆動制御情報には装着された各フィーダの中から駆動するフィーダを選択するフィーダ選択情報が含まれている請求項６または請求項７に記載の記録装置。
【請求項９】
前記給送手段はモータ及びモータを制御するモータドライバを含み、前記駆動制御情報は前記モータドライバを介して前記モータを駆動制御するモータ制御情報を含み、装着された各フィーダは前記フィーダ選択情報に応じて前記モータ駆動情報を前記モータドライバに選択的に伝達する伝達制御手段を有する請求項８に記載の記録装置。
【請求項１０】
前記制御手段は、フィーダ選択情報によって装着されたフィーダのうちの所定の一つを選択した場合もそれ以外のフィーダを選択した場合も共通のモータ制御情報を用いて選択したフィーダのモータを制御する請求項９に記載の記録装置。
【発明の詳細な説明】
【技術分野】
【０００１】
本発明は、シート材等の記録媒体上に画像を形成する機能を備えた、例えば、複写機、プリンタ、あるいは、ファクシミリ装置などの画像形成装置に関するものである。
【背景技術】
【０００２】
近年、画像記録装置においては種々の用紙サイズの供給または多枚数のシートの収容が可能な装置を要求するユーザーが増えている。この要求を満たすために、従来、ユーザーの要望に応じてオプションカセットフィーダ（を増設できるようにした画像形成装置が提案されている。なお、このオプションカセットフィーダは通常シートを収容する給紙カセット、給紙カセットからシートを送り出すための給紙ローラ、給紙ローラに駆動を伝達する駆動伝達手段等が設けられている。駆動伝達手段としてはオプションカセットフィーダ毎にモータが設置されており、パルスモータの制御によって給紙動作を行っている。また、装置の設置面積を増加させることなくオプションカセットフィーダを増設させるために、画像形成装置の装置本体の下に配置するようになっており、更に配置したオプションカセットフィーダの下に別のオプションカセットフィーダを配置させることにより複数段のオプションカセットフィーダが装着可能となっているものもある。そのような例として特許文献１に記載されたものがある。
【０００３】
上記のように多段のオプションカセットフィーダを増設した場合、は画像形成装置の装置本体から、複数段のオプションカセットフィーダ毎に制御信号線を供給しており、オプションカセットフィーダの認識手段もフィーダ毎に入力ポートとして用意されているものが一般的である。
【特許文献１】特開２００２−１８７６７５公報
【発明の開示】
【発明が解決しようとする課題】
【０００４】
しかしながら、上記従来の技術には以下のような問題点がある。
【０００５】
オプションカセットフィーダを複数段装着することで、それぞれに駆動用のモータが必要になり必要な信号線の本数が増大してしまう。また、従来ではオプションカセットフィーダの装着状態を認識するために、光センサや追加部材を設けなければならない。これらのことは、装置全体のコストや省スペース化に対して大きな障害となっていた。
【０００６】
本発明は上記事情のためのもので、単純な構成でオプションカセットフィーダの装着状態を認識し、駆動方法を切り替えることを目的としている。
【課題を解決するための手段】
【０００７】
上記目的を達成するために本発明の記録装置は、以下のような構成からなる。
【０００８】
即ち、装置本体に給紙カセットを複数段に備え、それら各給紙カセットに対応する給紙部でそれぞれその各給紙カセットからシートを送り出し、順次上段の給紙カセットの縦断通路を通して記録部へと送り込み、その記録部で記録を行うシート記録装置において、装着された給紙カセットを自動的に認識する判別手段と、前期判別手段で認識された装着状態に応じて前期給紙カセットのモータ駆動方法を切り替える制御手段を有することを特徴とする。
【発明の効果】
【０００９】
本発明によれば、装着可能なオプションカセットの組み合わせを、ポート信号の各状態にわりあてることでカセットの装着状態の認識を可能にする。またオプションカセットが複数段（本実施例では中段、下段の２段）装着されていると判別されたときには、中段、下段カセットのモータの駆動を「同時／どちらか一方」に切り替えることができる。
【００１０】
以上のように単純な構成で、複数のオプションカセットフィーダの駆動モータの制御方法を切り替えることができる。
【発明を実施するための最良の形態】
【００１１】
以下添付図面を参照して本発明の実施形態について詳細に説明する。
【００１２】
図１に示すように本実施形態に係る記録装置Ａはインクジェット記録装置であり、装置下方にはシート給送装置Ｂが配置されている。シート給紙装置Ｂはシートを装置上部に配置された記録手段へ給送するものであり、本実施形態ではシート給紙装置Ｂとして上下２段のオプションカセットフィーダを追加で着脱可能とし、この各オプションカセットフィーダの給紙部においてシートカセットに積載収納したシートＳを給送するようにしている。
【００１３】
上段オプションカセットフィーダ２０１の給紙部には給送手段としての給送ローラ２が軸３を中心に回動可能なアーム４の回動側先端に取り付けられている。前記アーム４は付勢バネ５によって付勢されており、これによって給送ローラ２はセットされた上段カセット１の最上位シートに常時所定圧で当接している。
【００１４】
シート給送に関しては、給送ローラ２が図１の矢印方向へ回転すると、上段カセット１に積載された最上位のシート数枚が給送され、これがカセット先端に形成された斜面分離部１ａを通過する際に摩擦力によって最上位の１枚のみが分離給送される。
【００１５】
分離されたシートＳは縦断通路を形成する搬送ガイド６にそって上方へ給送され、さらに図１の矢印方向へ回転する反転ローラ７によってＵターン搬送されて搬送ローラ８とこれに付勢されたピンチローラ９からなる搬送ローラ対へ搬送される。このとき、シート先端がセンサ１０を通過してから所定量搬送し、停止している搬送ローラ対８，９のニップ部にシート先端を突き当ててループを形成することで斜行を矯正する。
【００１６】
一方、下段オプションカセットフィーダ２１１側の給紙部にも給送手段としての給送ローラ１２が軸１３を中心に回動可能なアーム１４の回動側先端に取り付けられている。このアーム１４も付勢バネ１５によって付勢されており、給送ローラ１２がセットされた下段カセット１１の最上位シートに常時所定圧で当接している。さらに、下段オプションカセットフィーダ２１１の場合は、給送ローラ１２のシート給送方向下流側（以下、単に「下流」という）、且つ反転ローラ７よりもシート給送方向上流側（以下、単に「上流」という）に補助ローラ１６と、これに付勢されたピンチローラ１７からなる補助ローラ対が設けられている。従って、下段オプションカセットフィーダ２１１からシートを給送する場合には、上段カセット１の場合と同様に給送ローラ１２が図１の矢印方向へ回転することで、下段カセット１１に積載された最上位のシート数枚が給送され、これがカセット先端に形成された斜面分離部１１ａを通過する際に最上位の１枚のみが分離給送される。そして、図１の矢印方向へ回転する補助ローラ対１６，１７によって上方へ搬送される。その後は上段カセット１から給送した場合と同様にして反転ローラ７から搬送ローラ対８，９へ搬送される。
【００１７】
前記のようにして給送されたシートＳは、前記搬送ローラ対８，９で記録位置へと搬送され、記録手段１８で画像が記録された後に排出ローラ１９とこれにシートを押圧して従動回転する拍車状の回転体２０とからなる排出ローラ対によってフラッパ２１へ直線的に排出され、その後でフラッパ２１が回動してシートは下方に配置された排出スタッカ２２へ落下排出される。
【００１８】
記録手段１８は搬送されたシートに記録部においてインク像を記録するものであり、本実施形態の記録部では記録手段として記録ヘッドからインクを吐出して記録するシリアル型のインクジェット記録方式を用いている。すなわち、記録ヘッド１８ａがキャリッジ１８ｂに搭載され、このキャリッジ１８ｂがレール１８ｃに沿ってシート搬出方向と直交する方向へ往復移動可能に構成されており、このキャリッジ１８ｂの移動と同期して記録ヘッドからインクを吐出することでシートＳにインク像を形成する。従って、記録ヘッド１８ａは微細な液体吐出口（オリフィス）、液路及びこの液路の一部に設けられるエネルギー作用部と、該作用部にある液体に作用させる液滴形成エネルギーを発生するエネルギー発生手段を設けている。
【００１９】
このようなエネルギーを発生するエネルギー発生手段としてはピエゾ素子等の電気機械変換体を用いた記録方法、レーザー等の電磁波を照射して発熱させ、該発熱による作用で液滴を吐出させるエネルギー発生手段を用いた記録方法、あるいは発熱抵抗体を有する発熱素子等の電気熱変換体によって液体を加熱して液体を吐出させるエネルギー発生手段を用いた記録方法がある。その中でも熱エネルギーによって液体を吐出させるインクジェット記録方法に用いられる記録ヘッドは、記録用の液滴を吐出して吐出用液滴を形成するための液体吐出口（オリフィス）を高密度に配列することができるために高解像度の記録をすることが可能である。その中でも電気熱変換体をエネルギー発生手段として用いた記録ヘッドは、コンパクト化も容易であり、高密度実装化も容易で製造コストも安易なことから有利である。
【００２０】
なお、本実施形態ではインクの吐出形態として、記録信号に応じて電気熱変換体に通電し、その熱エネルギーによってインクに生ずる膜沸騰を利用してインクに生ずる気泡の成長、収縮により、インクを吐出口から吐出して記録を行うように構成されている。また、シートＳの両面に画像を記録する場合には、上記のようにして片面に記録されて排出スタッカ２２に積載されたシート端部を整合する壁部材２３を退避させるとともに、アーム４を図１の半時計回り方向へ回転させて給紙ローラ２を排出スタッカ２２に積載されているシートに当接させる。この状態で上段カセット１から給送する場合と同様にしてシートを記録手段へ給送し、シート裏面側に記録を行った後排出する。
【００２１】
次に本実施例における電気的な接続について図２を参照して説明する。
【００２２】
記録装置は、記録制御部５２とヘッド部５３を備えている。
【００２３】
上段オプションカセットフィーダ２０１は、伝達制御手段としての制御信号ＯＮ／ＯＦＦ回路７５、上段モータドライバ７６、上段カセットモータ７７、識別信号発生手段である上段カセット識別部７８を有する上段カセット駆動部５４を備えている。上段カセット駆動部５４はコネクタ７４ｂによって記録装置のコネクタ７４ａに接続される。
【００２４】
下段オプションカセットフィーダ２１１は伝達制御手段としての制御信号ＯＮ／ＯＦＦ回路８０、下段モータドライバ８１、下段カセットモータ８２、識別信号発生手段である下段カセット識別部８３を有する下段カセット駆動部５５を備えている。下段カセット駆動部５５はコネクタ７９ｂによって上段オプションカセットフィーダのコネクタ７９ａ、または記録装置のコネクタ７４ａに接続される。
【００２５】
ホスト５１は記録装置とＵＳＢ等のインターフェースにて接続されたホストであり、記録装置に対して印字データを送信する。Ｉ／Ｆ回路６１はそのホスト５１から送信されたデータを受信するためのインターフェース回路であり、受信データをＲＡＭ６２に格納する。
【００２６】
６３は装置全体を制御するための制御手段としてのＣＰＵであり、ＲＡＭ６２に格納されたデータを処理してヘッド駆動回路６７に転送する。ＲＡＭ６４は所要の作業領域を提供するために存在し、また、６５のＲＯＭには前記ＣＰＵ６３が動作するためのプログラムや、ヘッド駆動、モータ駆動等の制御テーブルがあらかじめ格納されている。
【００２７】
６６はキャリッジ位置検出素子であるエンコーダセンサ６９の出力によりキャリッジの位置を検出するエンコーダ回路である。６７は記録ヘッド７１やヘッドドライバ７０を駆動するための駆動回路であり、またＣＰＵ６３から送られてきたデータを更にヘッドドライバ７０に転送する。ヘッドドライバ７０が転送されてきたデータを記録ヘッド７１に送信し、そして記録ヘッド７１がデータに応じて吐出をすることで印字動作は行われる。
【００２８】
６８はキャリッジモータ７２、紙送りモータ７３、そして上段カセットモータ７７と上段カセットモータ８１を駆動するための駆動回路である。
【００２９】
モータの駆動方法に関する駆動制御情報を送る制御情報線である駆動信号線１０３はモータ駆動回路６８からのモータ相信号線１０３ａ、１０３ｂ、１０３ｃ、１０３ｄと、ＣＰＵ６３からのフィーダの選択情報を送る駆動ＯＮ／ＯＦＦ信号線１０３ｅ、１０３ｆを組み合わせたものでコネクタ７４ａ、７４ｂ、７９ａ、７９ｂを介して上段カセット駆動部５４、下段カセット駆動部５５に送られる。モータ相信号１０３ａ〜１０３ｄは計４本の信号線であり、上段モータドライバ７６、下段モータドライバ８１に対する共通のモータの制御情報を送る制御信号である。
【００３０】
駆動ＯＮ／ＯＦＦ信号１０３ｅは上段カセット駆動部用、駆動ＯＮ／ＯＦＦ信号１０３ｆは下段カセット駆動部用となっている。フィーダの装着検知信号線を構成するカセット判別信号線１０１ａ、１０１ｂはそれぞれ１ビットの信号で記録制御部５２内でＨレベルにプルアップされており、ＣＰＵ６３に対して判別信号１０１ａはポートａ、１０１ｂはポートｂという入力ポートとして接続されている。よってオプションカセットフィーダを認識する判別手段としてのＣＰＵ６３はポートａ、ポートｂの状態を読み取ることによって装着されている給紙カセットを認識する。
【００３１】
また駆動信号１０３とカセット判別信号１０１ａ、１０１ｂは記録制御部５２からコネクタ７４ａに対して配線されている。
【００３２】
上段カセット駆動部５４内部に存在するコネクタ７４ｂと前記コネクタ７４ａを接続することによって記録制御部５２との信号のやりとりを可能にする。制御信号ＯＮ／ＯＦＦ回路７５はモータ駆動回路６８からのモータ相信号１０３ａ〜１０３ｄを上段モータドライバ７６に伝達する。ただし図４ａに示すようにＣＰＵ６３からの駆動ＯＮ／ＯＦＦ信号１０３ｅがＯＦＦを示している場合は、上段モータドライバ７６に対してすべてＨレベルを出力する。
【００３３】
上段カセットモータ７７は２相のパルスモータからなるもので、前記給紙ローラ２の駆動源であり、上段モータドライバ７６からのモータ相信号１０３ａ〜１０３ｄ等の制御信号によって動作する。
【００３４】
認識信号生成手段としての上段カセット識別部７８は上段オプションカセットフィーダ２０１が装着されていることを前記ＣＰＵ６３に認識させるためのものであり、前記判別信号ライン１０１ａにはＬを接続し、判別信号１０１ｂは下段オプションカセットフィーダ２１１へのコネクタ７９ａに接続させている。
【００３５】
ここで、装着されるカセットの種類によってカセット判別部の内容は異なる。
【００３６】
下段カセット駆動部５５において、下段カセット駆動部５５内部に存在するコネクタ７９ｂと前記コネクタ７９ａを接続することによって記録制御部５２との信号のやりとりを可能にする。ここで、コネクタ７９ｂのピン配置は前記コネクタ７４ｂと同等にしているため、前記コネクタ７４ａをコネクタ７９ｂに接続することもできる。
【００３７】
制御信号ＯＮ／ＯＦＦ回路８０はモータ駆動回路６８からのモータ相信号１０３ａ乃至１０３ｄを下段モータドライバ８１に伝達する。ただし図４ｂに示すようにＣＰＵ６３からの駆動ＯＮ／ＯＦＦ信号１０３ｆがＯＦＦを示している場合は、下段モータドライバ８１に対してすべてのモータ相信号をＨレベルで出力する。
【００３８】
下段カセットモータ８２は２相のパルスモータからなるもので、前記給紙ローラ１２の駆動源であり、下段モータドライバ８１からの制御信号によって動作する。
【００３９】
認識信号生成手段としての下段カセット識別部８３は下段オプションカセットフィーダが装着していることを前記ＣＰＵ６３に認識させるためのものであり、前記判別信号ライン１０１ａには何も接続せず、判別信号ライン１０１ｂにはＬレベルを接続させている。
【００４０】
以上の構成において、カセットの認識方法について以下に述べる。
【００４１】
前記判別信号ライン１０１ａによって記録制御部部５２に送られる信号を判別信号ａ、判別信号ライン１０１ｂによって記録制御部５２に送られる信号を判別信号１０１ｂとする。
【００４２】
まずは判別信号ａ，判別信号ｂを２ビットの状態として定義する。ここで、本実施形態では信号線の抑制のため２ビット（２本の信号線）で構成しているが、ビット数を増やすことによって定義可能な状態は多くなる。
【００４３】
図３に本実施例における、判別信号１０１ａ、１０１ａの状態に対応する装着されるカセットの判別部、オプションカセットフィーダの装着状態を４状態のテーブルデータとして示す。
【００４４】
状態１は図１のように上段オプションカセットフィーダ、下段カオプションセットフィーダがともに装着されている場合である。図３の１−２にＣＰＵ６３−各カセット判別部までの接続線の略図を示した。１−２において判別信号ｂは下段カセット識別部においてＧＮＤに接続されているためＬレベルとなる。同様に判別信号ａは上段カセット識別部においてＧＮＤに接続されているため”Ｌ”レベルとなる。よって判別信号ａ、ｂともに”Ｌ”レベルとなるため、前記ＣＰＵ６３はポートａ、ｂの入力信号が共にＬ（０）なので上段オプションカセットフィーダ２０１と下段オプションカセットフィーダ２１１が両方とも装着されていると判断することができる。
【００４５】
状態２は下段オプションカセットフィーダ２１１のみが装着されている場合である。図２の２−２にＣＰＵ６３から下段カセット判別部までの接続線の略図を示した。２−２において判別信号ｂは下段カセット識別部においてＧＮＤに接続されているため”Ｌ”レベルとなる。判別信号ａはＧＮＤに接続されておらず、記録装置Ａにおいてのプルアップが有効になるため”Ｈ”レベルとなる。よって判別信号ａはＨ、ｂはＬレベルとなるため、前記ＣＰＵ６３はポートａの入力信号が１（Ｈ）、ポートｂの入力信号が０（Ｌ）となって下段オプションカセットフィーダ２１１のみが装着されていると判断することができる。
【００４６】
状態３は上段オプションカセットフィーダ２０１のみ装着されている場合である。図３の３−２にＣＰＵ６３−上段カセット判別部までの接続線の略図を示した。３−２において判別信号ａは上段カセット識別部においてＧＮＤに接続されているため”Ｌ”レベルとなる。判別信号ｂはＧＮＤに接続されておらず、記録装置Ａにおいてのプルアップが有効になるため”Ｈ”レベルとなる。よって判別信号ａは”Ｌ”、ｂは”Ｈ”レベルとなるため、前記ＣＰＵ６３はポートａ＝’０’，ポートｂ＝’１’となり上段オプションカセットフィーダ２０１のみが装着されていると判断することができる。
【００４７】
状態４は追加オプションカセットフィーダが装着されていない場合である（不図示）。本条件の場合、図３の４−２はプルアップのみの接続となる。よって記録装置Ａにおいては判別信号ａ、ｂ共にプルアップが有効になるため”Ｈ”レベルとなる。よって前記ＣＰＵ６３はポートａ、ｂの入力信号がともに’１’’のであるので追加オプションカセットフィーダは装着されていないと判断することができる。
【００４８】
図４ａは上段制御信号ＯＮ／ＯＦＦ回路７５，図４ｂは制御信号ＯＮ／ＯＦＦ回路８０の詳細図である。図４ａにおいて、前記駆動ＯＮ／ＯＦＦ信号１０３ｅが’１’のときは上段カセット駆動部５４のモータ駆動回路６８からのモータ相信号１０３ａ乃至１０３ｄがそのまま各ゲートを通過して出力される。このとき上段カセットモータ７７はモータ相信号１０３ａ〜ｄに応じて動作する。前記駆動ＯＮ／ＯＦＦ信号１０３ｅが’０’のときはすべて出力は”Ｈ”レベル固定となり上段カセットモータ７７は動作しない。
【００４９】
同様に図４ｂにおいて、前記駆動ＯＮ／ＯＦＦ信号１０３ｆが’１’のときは下段カセット駆動部５５のモータ駆動回路６８からのモータ相信号１０３ａ〜ｄがそのまま出力される。このとき下段カセットモータ８２はモータ相信号１０３ａ〜ｄに応じて動作する。前記駆動ＯＮ／ＯＦＦ信号１０３ｆが’０’のときはすべて出力は”Ｈ”レベル固定となり下段カセットモータ８２は動作しない。
【００５０】
次に装着されているオプションカセットフィーダを判別した後の制御を以下に示す。判別信号ａ，ｂがａ＝’０’，ｂ＝’１’のときは、ＣＰＵ６３によって前記駆動ＯＮ／ＯＦＦ信号１０３ｅを’１’、前記駆動ＯＮ／ＯＦＦ信号１０３ｆを’０’にすることで上段カセットモータ７７のみを駆動することができる。同様に判別信号ａ，ｂがａ＝’０’，ｂ＝’１’のときは前記駆動ＯＮ／ＯＦＦ信号１０３−ｆを’１’、前記駆動ＯＮ／ＯＦＦ信号１０３−ｅを’０’にすることで下段カセットモータ８２のみを駆動することができる。
【００５１】
また、上段、下段オプションカセットフィーダが共に装着されている場合は、上段、下段のモータを同時または単独で駆動することができる。例えば図５ａに示すようにそれぞれのモータを同時に動作させる場合は、時間ｔ０においてＣＰＵ６３が駆動ＯＮ／ＯＦＦ信号１０３ｅ、１０３ｆを共に”１”に設定し、時間ｔ１からモータ相信号１０３ａ〜ｄを発生させると制御信号ＯＮ／ＯＦＦ回路７５、８０の出力は共にモータ相信号１０３ａ〜ｄと同等となり上段カセットモータ７７，下段カセットモータ８２は共に動作する。
【００５２】
またそれぞれのモータを単独で動作させる場合は、図５−ｂに示すように時間ｔ０においてＣＰＵ６３が駆動ＯＮ／ＯＦＦ信号１０３−ｅを’０’に、１０３−ｆを’１’に設定し、ｔ１からモータ相信号１０３−ａ〜ｄを発生させると制御信号ＯＮ／ＯＦＦ回路８０の出力はモータ相信号１０３−ａ〜ｄと同等となり、制御信号ＯＮ／ＯＦＦ回路７５の出力はすべて”Ｈ”レベル固定となるため下段カセットモータ８２のみが動作する。そして時間ｔ３においてＣＰＵ６３が駆動ＯＮ／ＯＦＦ信号１０３−ｅを’１’に、１０３−ｆを’０’に設定し、ｔ４からモータ相信号１０３−ａ〜ｄを発生させると制御信号ＯＮ／ＯＦＦ回路７５の出力はモータ相信号１０３−ａ〜ｄと同等となり、制御信号ＯＮ／ＯＦＦ回路８０の出力はすべて”Ｈ”レベル固定となるため上段カセットモータ８２のみが動作する。
【００５３】
以上の実施形態以外にも、給紙する用紙の種類や、印字モード（はやい、きれい等）に応じて各オプションカセットフィーダに対するモータ相信号のＯＮ／ＯＦＦを切り替えることによって様々な状況への対応が可能となる。
【図面の簡単な説明】
【００５４】
【図１】記録装置の全体模式説明図である。
【図２】カセット判別信号、判別信号接続図、カセット装着状態の関係を示す説明図である。
【図３】アナログ感知要素と共にプリンタ内の既存するデジタル信号処理を用いるインク検出器の構成を示すブロック図である。
【図４】ａは、制御信号ＯＮ／ＯＦＦ回路７５の詳細図である。ｂは、制御信号ＯＮ／ＯＦＦ８０の詳細図である。
【図５】ａは、上段カセットと下段カセットの同時駆動を示すタイムチャートである。ｂは、上段カセットと下段カセットの単独駆動を示すタイムチャートである。
【符号の説明】
【００５５】
Ａ  記録装置
Ｂ  シート給送装置
Ｓ  シート
１  上段カセット
１ａ  斜面分離部
２  給送ローラ
３  軸
４  アーム
５  付勢バネ
６  搬送ガイド
７  反転ローラ
８  搬送ローラ
９  ピンチローラ
１０  センサ
１１  下段カセット
１１ａ  斜面分離部
１２  給送ローラ
１３  軸
１４  アーム
１５  付勢バネ
１６  補助ローラ
１７  ピンチローラ
１８  記録手段
１８ａ  記録ヘッド
１８ｂ  キャリッジ
１８ｃ  レール
１９  排出ローラ
２０  拍車
２１  フラッパ
２２  排出スタッカ
２３  壁部材
５１  ホスト
５２  記録制御部
５３  ヘッド部
５４  上段カセット駆動部
５５  下段カセット駆動部
６１  Ｉ／Ｆ回路
６２  ＲＡＭ
６３  ＣＰＵ
６４  ＲＡＭ
６５  ＲＯＭ
６６  エンコーダ回路
６７  ヘッド駆動回路
６８  モータ駆動回路
６９  エンコーダセンサ
７０  ヘッドドライバ
７１  記録ヘッド
７２  キャリッジモータ
７３  紙送りモータ
７４ａ  コネクタ
７４ｂ  コネクタ
７５  制御信号ＯＮ／ＯＦＦ回路
７６  上段モータドライバ
７７  上段カセットモータ
７８  上段カセット識別部
７９ａ  コネクタ
７９ｂ  コネクタ
８０  制御信号ＯＮ／ＯＦＦ回路
８１  下段モータドライバ
８２  下段カセットモータ
８３  下段カセット識別部
１０１ａ  カセット判別信号
１０１ｂ  カセット判別信号
１０３ａ  モータ相信号
１０３ｂ  モータ相信号
１０３ｃ  モータ相信号
１０３ｄ  モータ相信号
１０３ｅ  駆動ＯＮ／ＯＦＦ信号
１０３ｆ  駆動ＯＮ／ＯＦＦ信号
２０１  上段オプションカセットフィーダ
２１１  下段オプションカセットフィーダ
【図１】
2005170626.tif 000003
【図２】
2005170626.tif 000004
【図３】
2005170626.tif 000005
【図４】
2005170626.tif 000006
【図５】
2005170626.tif 000007